(57)【要約】【課題】  複数方向の各々に対応する指示を方向指示キーなしで実行可能な撮像装置を提供する。【解決手段】  ステップＳ１２で、入力された信号が移動検知信号ＳＬであるかどうかを判断し、判断が肯定された場合には、ステップＳ１４で、カーソル７２をコマ戻し指示表示７０Ｌ側へ移動させる。ステップＳ１６で、第１入力キー２４から決定の入力があるまで待機し、決定入力があれば、ステップＳ１８で、１コマ前の画像をＬＣＤへ再生表示させる指示を出力する。これにより、ＬＣＤ１８に表示されていた再生画像は、１コマ前の画像に切り換わる。【選択図】  図４
2005260864.tif 000002
【特許請求の範囲】
【請求項１】
撮像装置本体と、
前記撮像装置本体の複数の方向の各々への移動を検出可能とされた移動検出手段と、
前記移動検出手段により検出された移動方向に応じた処理を実行する処理実行手段と、
を備えた撮像装置。
【請求項２】
前記複数の方向は、前記撮像装置本体の上下左右であることを特徴とする請求項１に記載の撮像装置。
【請求項３】
前記撮像装置本体に設けられたディスプレイをさらに備え、
前記処理はズーミング処理であり、前記複数の方向は前記ディスプレイに表示された画像のズーミングを行う領域の指定方向であることを特徴とする請求項１または請求項２に記載の撮像装置。
【発明の詳細な説明】
【技術分野】
【０００１】
本発明は、撮像装置に関する。
【背景技術】
【０００２】
近年デジタルカメラなどの撮像装置は小型化が進み、一方、撮像装置に設けられる液晶ディスプレイ（以下「ＬＣＤ」という）は大型であることが求められている。撮像装置には、各種の操作キーが必要であるが、上記の要請により、操作キーを配置するスペースが狭くなくなってきている。
【０００３】
そこで、キー操作によらない指示入力が求められている。例えば、特許文献１では、ＬＣＤへ指示入力用のアイコンを表示させて操作キーを少なくしているが、どのアイコンを選択するかの指示入力は、方向指示キーを用いて行っている。一般的に、方向指示用のキーは、複数の方向を指示する機能を備えており、広範囲の配置スペースを必要とする。
【特許文献１】特開平１１−２７５４２６号公報
【発明の開示】
【発明が解決しようとする課題】
【０００４】
本発明は、上記事実を考慮して成されたものであり、複数方向の各々に対応する指示を方向指示キーなしで実行可能な撮像装置を提供することを目的とする。
【課題を解決するための手段】
【０００５】
上記課題を解決するために、請求項１に記載の撮像装置は、撮像装置本体と、前記撮像装置本体の複数の方向の各々への移動を検出可能とされた移動検出手段と、前記移動検出手段により検出された移動方向に応じた処理を実行する処理実行手段と、を含んで構成されている。
【０００６】
上記撮像装置では、移動検出手段により撮像装置本体の複数の方向の各々への移動が検出される。そして、処理実行手段により検出された移動方向に応じた処理が実行される。したがって、この撮像装置では、ユーザーは方向指示キーではなく、撮像装置本体を所望の方向へ移動させることにより、移動方向に対応した処理を実行させることができる。
【０００７】
なお、本発明の撮像装置は、請求項２に記載のように、前記複数の方向を、前記撮像装置本体の上下左右とすることができる。
【０００８】
この構成によれば、撮像装置本体を上下左右の各々の方向へ移動させることにより、同方向に対応した処理を実行することができる。
【０００９】
また、本発明の撮像装置は、請求項３に記載のように、前記撮像装置本体に設けられたディスプレイをさらに備え、前記処理はズーミング処理であり、前記複数の方向は前記ディスプレイに表示された画像のズーミングを行う領域の指定方向であることを特徴とすることもできる。
【００１０】
請求項３の撮像装置によれば、ズーミングを行う領域の指定を、ディスプレイを見ながら撮像装置本体を移動させることにより行うことができる。
【発明の効果】
【００１１】
以上説明したように、本発明の撮像装置によれば、複数方向の各々に対応する指示を方向指示キーなしで実行することができる。
【発明を実施するための最良の形態】
【００１２】
以下、図面を参照して本発明の撮像装置の最良の実施形態について説明する。本実施形態では、撮像装置としてデジタルカメラを例に説明する。
【００１３】
本実施形態のデジタルカメラ１０は、図１（Ａ）に示すように、筐体１２を備え、前面にレンズ１４、上面にレリーズボタン１６を備える。また、図１（Ｂ）に示すように、背面に液晶ディスプレイ（以下「ＬＣＤ」という）１８、ファインダ２０、電源ＳＷ２２、及び、その他各種の入力を行うための第１入力キー２４、第２入力キー２５を備える。
【００１４】
図２にデジタルカメラ１０の制御系の概略ブロック図を示す。デジタルカメラ１０には、レンズ１４を通過する光量を調整する絞り３２、光の通過時間を調整するシャッタ３４、及び、光を光電変換してアナログ画像信号を出力するＣＣＤ３６が備えられている。
【００１５】
ＣＣＤ３６はアナログ信号処理部３８と接続され、アナログ信号処理部3３８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部３２は、入力されたデジタル信号に対して各種の処理を行い、デジタル画像データを生成する。
【００１６】
また、デジタルカメラ１０には、ＣＰＵ５０、内部メモリ５２、表示制御部５４、記録制御部５６が備えられている。前述のデジタル信号処理部３２、ＣＰＵ５０、内部メモリ５２、表示制御部５４、記録制御部５６は、バス５９を介して相互に接続されている。
【００１７】
ＣＰＵ５０は各種のプログラムを実行するなどしてデジタルカメラ１０全体の制御を行う。ＣＰＵ５０は、電源ＳＷ２２、入力キー２４、レリーズボタン１６と接続されており、これらの各部から各種の指示が入力される。
【００１８】
また、ＣＰＵ５０はジャイロセンサ２８と接続されている。ジャイロセンサ２８は、所定のポジションからのデジタルカメラ１０の移動方向及び移動量を検出可能とされている。デジタルカメラ１０が上下左右方向へ所定量Ｍ以上移動すると、ジャイロセンサ２８は、ＣＰＵ５０へ、移動検知信号を出力する。なお、移動検知信号Ｓは、上下左右方向の各々について、移動検知信号ＳＵ（上方向の場合）、ＳＤ（下方向の場合）、ＳＬ（左方向の場合）、ＳＲ（右方向の場合）の区別をもった信号とされている。
【００１９】
内部メモリ５２にはデジタル信号処理部４２で生成されたデジタル画像データ、デジタルカメラ１０の制御用の各種プログラム等が記憶されている。記録制御部５６は外部メモリ６０と接続可能とされており、外部メモリ６０へデジタル画像データを書き込む処理、及び、外部メモリ６０からデジタル画像データを読出す処理を実行可能とされている。表示制御部５４はＬＣＤ１８と接続されており、ＬＣＤ１８へ画像等を表示するための所定の処理を行う。
【００２０】
さらに、デジタルカメラ１０には、レンズ１４を駆動させるためのレンズ駆動部６２、絞り３２を駆動させるための絞り駆動部６４、シャッタ３４を駆動させるためのシャッタ駆動部５６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。
【００２１】
次に、本実施形態の作用について説明する。
【００２２】
ユーザーがデジタルカメラ１０で被写体を撮影する際には、まず、電源ＳＷ２２から電源オンを入力する。これにより、デジタルカメラ１０の電源がオンされ、ＣＰＵ５０からレンズ駆動部６２へレンズ駆動の指示がなされ、レンズ１４が筐体１２の外側へ突出される。
【００２３】
また、ＣＰＵ５０からＣＣＤ制御部５８へＣＣＤ制御の指示がなされ、ＣＣＤ３６は所定のタイミングで被写体からの光を受け取って光電変換し、光電変換して得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成される。上述したＣＣＤ制御指示からデジタル画像データの生成までの処理が本発明での「画像の取り込み」である。画像の取り込みによって得られたデジタル画像データは、内部メモリ５２に記憶され、さらに、表示制御部５４へ出力され、表示制御部５４により所定の処理が行われて、デジタル画像データに基づく画像がＬＣＤ１８に所定のフレームレートで動画像的に連続表示される。
【００２４】
レリーズボタンが押下されると、ＡＥ（Automatic Exposure、自動露出）機能が働いて露出状態（シャッタースピード、絞りの状態）が設定された後、ＡＦ（Auto Focus、自動合焦）機能が働いて合焦制御される。そして、露光（撮影）が行われ、静止画像が取り込まれる。取り込まれた静止画像は、内部メモリ５２に記憶されると共に、記録制御部５６を経て外部メモリ６０に記憶される。
【００２５】
外部メモリ６０に記憶された画像をＬＣＤ１８へ再生する際には、入力キー２４を操作してデジタルカメラ１０を再生モードにする。このとき、図３（Ａ）に示すように、ＬＣＤ１８には、再生画像のコマ送り指示表示７０Ｒ、コマ戻し指示表示７０Ｌ、及び、カーソル７２が表示される。ユーザーは、カーソル７２の移動の指示を、デジタルカメラ１０を左右いずれかの方向（図３では各々の方向をＬ、Ｒで示す）へ移動させることにより行うことができる。ユーザーがいずれかの方向へデジタルカメラ１０を所定量Ｍ以上の移動量で移動させると、ジャイロセンサ２８から移動検知信号ＳがＣＰＵ５０へ出力される。これによりＣＰＵ５０では、図４に示す、コマ送り処理が実行される。
【００２６】
ステップＳ１２で、入力された信号が移動検知信号ＳＬ（左）であるかどうか、すなわち、デジタルカメラ１０の移動方向が左であったかどうかを判断する。判断が肯定された場合には、ステップＳ１４で、カーソル７２をコマ戻し指示表示７０Ｌ側へ移動させる（図３（Ｂ）参照）。そして、ステップＳ１６で、第１入力キー２４から決定の入力があるまで待機する。そして、決定入力があれば、ステップＳ１８で、１コマ前の画像をＬＣＤへ再生表示させる指示を出力する。これにより、ＬＣＤ１８に表示されていた再生画像は、１コマ前の画像に切り換わる。一方、ステップＳ１２の判断が否定された場合には、デジタルカメラ１０の移動方向は右であったため、ステップＳ２４で、カーソル７２をコマ送り指示表示７０Ｒ側へ移動させる（図３（Ｃ）参照）。そして、ステップＳ２６で、第１入力キー２４から決定の入力があるまで待機する。そして、決定入力があれば、ステップＳ２８で、１コマ次の画像をＬＣＤへ再生表示させる指示を出力する。これにより、ＬＣＤ１８に表示されていた再生画像は、１コマ次の画像に切り換わる。
【００２７】
本処理によれば、再生画像のコマ送り及びコマ戻しを、デジタルカメラ１０を左右に傾けることで実現できる。
【００２８】
ＬＣＤ１８へ再生された画像のズーミングを行う際には、入力キー２４を操作してデジタルカメラ１０をズーミングモードにする。このとき、図５（Ａ）に示すように、ＬＣＤ１８には、ズーミングしたい領域を特定するためのウインドウ７６が表示される。ユーザーは、デジタルカメラ１０を上下左右に移動させることによりウインドウ７６の移動を行うことができる。すなわち、ユーザーが上下左右いずれかの方向へデジタルカメラ１０を所定量Ｍ以上の移動量で移動させると、ジャイロセンサ２８から移動検知信号ＳがＣＰＵ５０へ出力される。これによりＣＰＵ５０では、図6に示す、ズーミング領域指定処理が実行される。
【００２９】
ステップＳ３０で、移動検知信号Ｓが、ＳＵ（上方向の場合）、ＳＤ（下方向の場合）、ＳＬ（左方向の場合）、ＳＲ（右方向の場合）のいずれであったかを解析し、ステップＳ３２でウインドウ７６を移動検知信号Ｓに応じた方向へ移動させ、ステップＳ３４で、ズーミング表示の決定指示が入力されるまで待機する。ユーザーは、デジタルカメラ１０を移動させることにより、所望の位置にウインドウ７６を移動させて、ズーミング表示の決定指示を第２入力キー２５から入力する。ズーミング表示の決定指示が入力されると、ステップＳ３６で、ズーミング処理が行われ、指定した領域の画像がズーミング表示される。図６（Ｂ）は、図６（Ａ）のウインドウ７６（Ｂ）で囲まれた領域がズーミング表示されている図である。
【００３０】
本処理によれば、ズーミング表示させる領域を、デジタルカメラ１０を上下左右に移動させることにより指定することができる。
【００３１】
ＬＣＤ１８にズーミング表示が行われている状態から、ズーミング表示する領域を変更したい場合には、ユーザーは、第２入力キー２５を押したままでデジタルカメラ１０を上下左右に移動させることにより行うことができる。すなわち、ユーザーが上下左右いずれかの方向へデジタルカメラ１０を所定量Ｍ以上の移動量で移動させると、ジャイロセンサ２８から移動検知信号ＳがＣＰＵ５０へ出力される。これによりＣＰＵ５０では、図7
に示す、ズーミング領域変更処理が実行される。
【００３２】
ステップＳ4０で、移動検知信号Ｓが、ＳＵ（上方向の場合）、ＳＤ（下方向の場合）、ＳＬ（左方向の場合）、ＳＲ（右方向の場合）のいずれであったかを解析する。そして、ステップＳ４２で、移動検知信号Ｓに応じた方向に位置する領域のズーミング表示が行われる。たとえば、図６（Ｂ）のように、ズーミング表示前の画像（図６（Ａ）参照）におけるウインドウ７６（Ｂ）の領域が表示されている状態から、ウインドウ７６（Ｃ）の領域を表示させるには、デジタルカメラ１０を右側に移動させればよい。これにより、ＬＣＤ１８は、図６（Ｃ）に示すズーミング表示となる。
【００３３】
本処理によれば、ＬＣＤ１８がズーミング表示されている状態で、ズーミング表示させる領域をデジタルカメラ１０を上下左右に移動させることにより指定することができる。
【００３４】
以上説明したように、本実施形態によれば、ジャイロセンサからの入力により方向指示を行うので、十字キーなどの方向指示用のキーを用いる必要がない。
【００３５】
なお、本実施形態では、ジャイロセンサから上下左右の４方向を指示する移動検知信号Ｓが入力される例について説明したが、移動検知信号Ｓとしては、５以上の方向を指示するものであってもよい。
【００３６】
また、本実施形態では、デジタルカメラ１０の移動量が所定量以上の場合に移動検知信号Ｓが出力される例について説明したが、ズーミングについては、デジタルカメラ１０の移動量および移動方向に応じてジャイロセンサ２８から信号が入力され、自在にウインドウ７６の位置を移動させてズーミング領域を指定するようにしてもよい。この場合には、デジタルカメラ１０の移動量に対するウインドウ７６の移動量を、第１入力キー２４を押しながらのデジタルカメラ１０の移動か、第１入力キー２４を押さないでのデジタルカメラ１０の移動かによって、切換えるようにしてもよい。
【００３７】
また、上記実施形態では、撮像装置としてデジタルカメラを例に説明したが、本発明は、他に、カメラ付き携帯電話、デジタルビデオカメラなどのあらゆる撮像装置に適用することができる。
【図面の簡単な説明】
【００３８】
【図１】本実施形態のデジタルカメラの（Ａ）は前面図であり、（Ｂ）は背面図である。
【図２】本実施形態のデジタルカメラの制御系の概略ブロック図である。
【図３】本実施形態の再生表示時のＬＣＤの表示を示す図である。
【図４】本実施形態のコマ送り処理のフローチャートである。
【図５】本実施形態のズーミング領域指定処理のフローチャートである。
【図６】本実施形態のズーミング処理時のＬＣＤの表示を示す図である。
【図７】本実施形態のズーミング領域変更処理のフローチャートである。
【符号の説明】
【００３９】
１０  デジタルカメラ
１８  ＬＣＤ（ディスプレイ）
２８  ジャイロセンサ（移動検出手段）
５０  ＣＰＵ（処理実行手段）
７６  ウインドウ
【図１】
2005260864.tif 000003
【図２】
2005260864.tif 000004
【図３】
2005260864.tif 000005
【図４】
2005260864.tif 000006
【図５】
2005260864.tif 000007
【図６】
2005260864.tif 000008
【図７】
2005260864.tif 000009